(57)【要約】【課題】開缶後に手指で触れることに不安を感じることがなく取り扱い容易な角形缶体を提供することを目的とする。【解決手段】角形缶体１は、一体成形された缶底５を備える角形形状の缶胴２と、缶胴２に二重巻締めされたイージーオープン缶蓋３と、イージーオープン缶蓋３に開口部１０を形成するスコア９とを備える。スコア９の外周部９ａは缶胴２の内壁面２ａよりも外側に形成されている。【選択図】  図１
2010105717.tif 000002
【特許請求の範囲】
【請求項１】
一体成形された缶底を備える角形形状の缶胴と、該缶胴に二重巻き締めされたイージーオープン缶蓋と、該イージーオープン缶蓋に開口部を形成するスコアとを備える角形缶体において、
該スコアの外周部は、該缶胴の内壁面よりも外側に形成されていることを特徴とする角形缶体。
【発明の詳細な説明】
【技術分野】
【０００１】
本発明は、魚介類等の缶詰等に用いられる角形缶体に関する。
【背景技術】
【０００２】
従来、魚介類等の缶詰等に、コーナー部が丸みを帯びた大略長方形の形状で底の浅い缶体が用いられている（例えば特許文献１参照）。尚、本願では、前記形状を備える缶体を角形缶体と記載する。
【０００３】
図４に示すように、前記角形缶体２１は、例えば、予め内外面に塗装、印刷が施されたアルミニウム板を打ち抜き、絞り加工して形成された缶胴２２と、缶胴２２に二重巻締めされたイージーオープン缶蓋２３とを備えている。缶胴２２は、側壁の四隅が丸みを帯びたコーナー部２４となっていると共に、前記打ち抜き、絞り加工により一体成形された底部２５を備え、底部２５には外周に沿ってビード部２６が形成されている。
【０００４】
一方、イージーオープン缶蓋２３は、二重巻締め部２８の内周側にスコア２９が設けられており、スコア２９の内周側に取着されたタブ３０を備えている。角形缶体２１は、タブ３０を引き上げ、スコア２９を破断することにより、容易に開缶することができる。
【０００５】
しかしながら、前記従来の角形缶体２１では、図５に示すように、開缶後、開口部３２の周囲に残された缶蓋残部２３ａに、スコア２９の破断により鋭利な端部３３が形成されるので、手指で触れることに不安を感じ、取り扱い難くなるという不都合がある。
【特許文献１】特開平５−４２９３８号公報
【発明の開示】
【発明が解決しようとする課題】
【０００６】
本発明は、かかる不都合を解消して、開缶後に手指で触れることに不安を感じることがなく取り扱い容易な角形缶体を提供することを目的とする。
【課題を解決するための手段】
【０００７】
かかる目的を達成するために、本発明の角形缶体は、一体成形された缶底を備える角形形状の缶胴と、該缶胴に二重巻き締めされたイージーオープン缶蓋と、該イージーオープン缶蓋に開口部を形成するスコアとを備える角形缶体において、該スコアの外周部は該缶胴の内壁面よりも外側に形成されていることを特徴とする。
【０００８】
本発明の角形缶体では、前記スコアの外周部が前記缶胴の内壁面よりも外側に形成されているので、開缶後、開口部の周囲に残された缶蓋の残部に形成されている鋭利な端部が、該缶胴の内壁面よりも内側に突出することがない。従って、本発明の角形缶体では、開缶後に手指で触れても手指が傷付くおそれがなく、不安を感じることなく取り扱うことができる。
【発明を実施するための最良の形態】
【０００９】
次に、添付の図面を参照しながら本発明の実施の形態についてさらに詳しく説明する。図１は本実施形態の角形缶体の構成を示す斜視図、図２は図１に示す角形缶体を開缶した状態を示す斜視図、図３は図１に示す角形缶体を積み重ねた状態を示す説明的断面図である。
【００１０】
図１に示すように、本実施形態の角形缶体１は、例えば、予め内外面に塗装、印刷が施されたアルミニウム板を打ち抜き、絞り加工して形成された缶胴２と、缶胴２に二重巻締めされたイージーオープン缶蓋３とを備えている。
【００１１】
缶胴２は、側壁の四隅が丸みを帯びたコーナー部４となっていると共に、前記打ち抜き、絞り加工により一体成形された底部５を備え、底部５にはビード部６が形成されている。ビード部６は、底部５の外周に沿って形成されており、短辺側の一部には不連続部６ａを備えている。
【００１２】
また、缶胴２は、上端縁部に、底部５の中央部と平行に形成されたネックアウト部７を備えており、ネックアウト部７の外周部にイージーオープン缶蓋３が二重巻締めされた二重巻締め部８が形成されている。
【００１３】
一方、イージーオープン缶蓋３は、予め内外面に塗装、印刷が施されたアルミニウム板を打ち抜くことにより形成されたものを用いることができる。
【００１４】
イージーオープン缶蓋３は、二重巻締め部８の内周側にスコア９が設けられており、スコア９はその外周部９ａがネックアウト部７上に位置するように形成されている。この結果、スコア９の外周部９ａは、缶胴２の内壁面２ａよりも外側に配設されている。
【００１５】
また、イージーオープン缶蓋３は、スコア９の内周側の一方の短辺側に取着されたタブ１０を備えており、タブ１０はリベット１１によりイージーオープン缶蓋３に固定されている。ここで、底部５に設けられているビード部６の不連続部６ａは、タブ１０を収容可能な幅及び深さを備えている。
【００１６】
本実施形態の角形缶体１は、例えば、サンマ、イワシ等の魚介類等の缶詰等に用いられるものであり、タブ１０を引き上げ、スコア９を破断することにより、容易に開缶して内容物を取り出すことができる。次に、図２に角形缶体１を開缶した状態を示す。
【００１７】
角形缶体１では、タブ１０を引き上げ、スコア９を破断することにより開口部１２が形成されると共に、スコア９より外周側のイージーオープン缶蓋３が缶蓋残部３ａとして、缶胴２側に取り残される。このとき、缶蓋残部３ａの端部１３は、スコア９の破断により鋭利になっている。しかし、角形缶体１では、スコア９の外周部９ａが缶胴２の内壁面２ａよりも外側のネックアウト部７上に位置するように形成されているので、缶蓋残部３ａの端部１３が缶胴２の内壁面２ａよりも内側に突出することがない。
【００１８】
近年、各自治体において廃棄物の分別回収が行われるようになり、角形缶体１等の空き缶は家庭等において水洗の後、回収に出すことが奨励されている。前記水洗を行う場合、缶蓋残部３ａの端部１３が缶胴２の内壁面２ａよりも内側に突出していると、端部１３が鋭利であるために手指で触れることに不安を感じることがある。
【００１９】
これに対して、本実施形態の角形缶体１では、缶蓋残部３ａの端部１３が缶胴２の内壁面２ａよりも外側に位置しているので、開缶後に手指で触れても手指が傷付くおそれがなく、不安を感じることなく取り扱うことができる。
【００２０】
また、本実施形態の角形缶体１は、店舗等に陳列されたり、家庭等において保管される際に、図３に示すように、複数の角形缶体１を積み重ねることが行われる。このとき、角形缶体１では、底部５に設けられているビード部６の不連続部６ａが、タブ１０を収容可能な幅及び深さに形成されている。そこで、イージーオープン缶蓋３の上面から突出して形成されているタブ１０が障害となることなく、複数の角形缶体１を安定に積み重ねることができる。
【００２１】
さらに、本実施形態の角形缶体１は、前述のように缶蓋残部３ａの端部１３が缶胴２の内壁面２ａよりも外側に位置しているので、廃棄する際にも缶蓋残部３ａの端部１３が障害となることなく、複数の缶胴２を重ね合わせることができ、廃棄物の容積を低減することができる。
【図面の簡単な説明】
【００２２】
【図１】本発明の角形缶体の一実施形態の構成を示す斜視図。
【図２】図１に示す角形缶体を開缶した状態を示す斜視図。
【図３】図１に示す角形缶体を積み重ねた状態を示す説明的断面図。
【図４】従来の角形缶体の構成を示す斜視図。
【図５】図４に示す角形缶体を開缶した状態を示す斜視図。
【符号の説明】
【００２３】
１…角形缶体、  ２…缶胴、  ２ａ…缶胴２の内壁面、  ３…イージーオープン缶蓋、  ３ａ…缶蓋残部、  ５…缶底、  ９…スコア、  ９ａ…スコア９の外周部。
【図１】
2010105717.tif 000003
【図２】
2010105717.tif 000004
【図３】
2010105717.tif 000005
【図４】
2010105717.tif 000006
【図５】
2010105717.tif 000007